(57)【要約】  取得したオーディオ信号に基づいて、チューニング状態を音声によって通知する装置。前記オーディオ信号を取得する信号取得手段と、前記オーディオ信号の周波数と、前記オーディオ信号に対応する基準周波数とを比較する比較手段と、前記オーディオ信号の周波数が前記基準周波数を下回っている状態にある場合に第一の音声信号を生成し、前記オーディオ信号の周波数が前記基準周波数を上回っている状態にある場合に、前記第一の音声信号とは異なる第二の音声信号を生成する生成手段と、を有する。
2020217489.tif 000002
【特許請求の範囲】
【請求項１】
オーディオ信号を取得する信号取得手段と、
前記オーディオ信号の周波数と、前記オーディオ信号に対応する基準周波数とを比較する比較手段と、
前記オーディオ信号の周波数が前記基準周波数を下回っている状態にある場合に第一の音声信号を生成し、前記オーディオ信号の周波数が前記基準周波数を上回っている状態にある場合に、前記第一の音声信号とは異なる第二の音声信号を生成する生成手段と、
を有する、チューニング装置。
【請求項２】
前記第一および第二の音声信号は、第一の周期ごとに生成される音声信号であり、
前記第一の周期は、前記オーディオ信号の周波数と前記基準周波数との差に相関した値である、
請求項１に記載のチューニング装置。
【請求項３】
前記信号取得手段が前記オーディオ信号の立ち上がりを検出した場合に、前記生成手段は、前記第一の周期のカウントをリセットし、前記第一または第二の音声信号の生成を直ちに開始する、
請求項２に記載のチューニング装置。
【請求項４】
前記第一および第二の音声信号は、異なる音程を持つ二つ以上の音の組み合わせであり、
前記第一の音声信号と前記第二の音声信号とで、前記音程が逆の組み合わせをとる、
請求項１から３のいずれかに記載のチューニング装置。
【請求項５】
前記第一および第二の音声信号は、異なる音程を持つ二つ以上の音を連続的に繋ぐスイープ音である、
請求項４に記載のチューニング装置。
【請求項６】
前記オーディオ信号の周波数が前記基準周波数と略同じである場合に、前記生成手段は、前記第一および第二の音声信号とは異なる第三の音声信号を生成する、
請求項１から５のいずれかに記載のチューニング装置。
【請求項７】
前記オーディオ信号に対して所定の効果を付与する効果付与手段をさらに有し、
前記生成手段は、効果付与後のオーディオ信号と、前記第一または第二の音声信号を混合する、
請求項１から６のいずれかに記載のチューニング装置。
【請求項８】
オーディオ信号を取得する信号取得手段と、
前記オーディオ信号の周波数と、前記オーディオ信号に対応する基準周波数とを比較する比較手段と、
前記オーディオ信号の周波数と前記基準周波数が略一致していない場合に、第一の周期ごとに音声信号を生成する生成手段と、
を有し、
前記第一の周期は、前記オーディオ信号の周波数と前記基準周波数との差に相関した値である、
ことを特徴とする、チューニング装置。
【請求項９】
前記生成手段は、前記オーディオ信号の周波数が前記基準周波数を下回っている状態にある場合に第一の音声信号を生成し、前記オーディオ信号の周波数が前記基準周波数を上回っている状態にある場合に、前記第一の音声信号とは異なる第二の音声信号を生成する、
請求項８に記載のチューニング装置。
【請求項１０】
前記第一および第二の音声信号は、異なる音程を持つ二つ以上の音の組み合わせであり、
前記第一の音声信号と前記第二の音声信号とで、前記音程が逆の組み合わせをとる、
請求項９に記載のチューニング装置。
【請求項１１】
前記第一および第二の音声信号は、異なる音程を持つ二つ以上の音を連続的に繋ぐスイープ音である、
請求項１０に記載のチューニング装置。
【請求項１２】
前記信号取得手段が前記オーディオ信号の立ち上がりを検出した場合に、前記生成手段は、前記第一の周期のカウントをリセットし、前記第一または第二の音声信号の生成を直ちに開始する、
請求項９から１１のいずれかに記載のチューニング装置。
【請求項１３】
前記オーディオ信号の周波数が前記基準周波数と略同じである場合に、前記生成手段は、前記第一および第二の音声信号とは異なる第三の音声信号を生成する、
請求項９から１２のいずれかに記載のチューニング装置。
【請求項１４】
前記オーディオ信号に対して所定の効果を付与する効果付与手段をさらに有し、
前記生成手段は、効果付与後のオーディオ信号と、前記音声信号を混合する、
請求項８から１３のいずれかに記載のチューニング装置。
【請求項１５】
前記信号取得手段は、調律操作量に応じて連続的に音程を調整可能な楽器から前記オーディオ信号を取得する、
請求項１から１４のいずれかに記載のチューニング装置。
【発明の詳細な説明】
【技術分野】
【０００１】
本発明は、楽器のチューニングを行う技術に関する。
【背景技術】
【０００２】
電子楽器の分野において、楽器から出力された楽音信号に基づいて調律（チューニング）を行う装置が知られている。例えば、特許文献１および２には、対象の楽器から出力された音の周波数が、基準音の周波数に対してどの程度ずれているかを視覚的に表示する装置が開示されている。
【先行技術文献】
【特許文献】
【０００３】
【特許文献１】特開２００９−８６４４３号公報
【特許文献２】特開２００４−５３７７９号公報
【発明の概要】
【発明が解決しようとする課題】
【０００４】
特許文献１および２に記載の発明によると、電子楽器のチューニング状態を直感的に捉えることができる。一方で、当該発明では、発光素子や液晶画面によって状態を通知するため、操作者は、楽器が出力する音と基準音との上下関係を把握するため、チューニング作業中において常に装置を注視する必要がある。すなわち、ユーザビリティの向上という点において課題があった。【０００５】
本発明は上記の課題を考慮してなされたものであり、楽器が出力する音の高さと、基準音の高さのずれを直感的に通知するための技術を提供することを目的とする。
【課題を解決するための手段】
【０００６】
本発明に係るチューニング装置は、
オーディオ信号を取得する信号取得手段と、前記オーディオ信号の周波数と、前記オーディオ信号に対応する基準周波数とを比較する比較手段と、前記オーディオ信号の周波数が前記基準周波数を下回っている状態にある場合に第一の音声信号を生成し、前記オーディオ信号の周波数が前記基準周波数を上回っている状態にある場合に、前記第一の音声信号とは異なる第二の音声信号を生成する生成手段と、を有する。【０００７】
本発明に係るチューニング装置は、オーディオ信号（例えば、電子楽器から取得した楽音信号）の周波数と、当該オーディオ信号に対応する基準周波数との上下関係を判定し、当該上下関係に基づいて、生成する音声信号を異ならせる。
かかる構成によると、オーディオ信号の周波数と基準周波数との上下関係を音声のみによって操作者に通知することが可能になるため、装置を注視する必要がなくなり、ユーザビリティを向上させることができる。
なお、本明細書において、オーディオ信号の周波数とは、オーディオ信号に含まれる音に対応する（例えば、音を代表する）周波数であって、任意の評価法によってオーディオ信号を評価して得られる周波数を指す。従って、オーディオ信号は、必ずしも単一の周波数成分のみを含んでいる必要はない。【０００８】
また、前記第一および第二の音声信号は、第一の周期ごとに生成される音声信号であり、前記第一の周期は、前記オーディオ信号の周波数と前記基準周波数との差に相関した値であることを特徴としてもよい。【０００９】
かかる構成によると、周波数の上下関係に加え、当該周波数の差がどれほど開いているか（ずれ幅がどの程度あるか）を音声によって通知することが可能になる。【００１０】
また、前記信号取得手段が前記オーディオ信号の立ち上がりを検出した場合に、前記生成手段は、前記第一の周期のカウントをリセットし、前記第一または第二の音声信号の生成を直ちに開始することを特徴としてもよい。【００１１】
例えば、オーディオ信号が、電子楽器から出力された楽音信号である場合、操作者が打鍵やピッキングを行った場合に、第一の周期をリセットして音声信号を直ちに生成することで、現在の状況をより迅速に操作者に伝えることができる。オーディオ信号の立ち上がりタイミングは、例えば、オーディオ信号のレベルが所定値を上回ったタイミングとすることができる。【００１２】
また、前記第一および第二の音声信号は、異なる音程を持つ二つ以上の音の組み合わせであり、前記第一の音声信号と前記第二の音声信号とで、前記音程が逆の組み合わせをとることを特徴としてもよい。【００１３】
例えば、「高→低」「低→高」といったように、異なる音程を持つ音の組み合わせを設けることで、オーディオ信号の周波数が、基準周波数に対して低い状態であるか、高い状態であるかを直感的に通知することができる。【００１４】
なお、異なる音程を持つ二つ以上の音は、必ずしもそれぞれ単音である必要はなく、滑らかに変化してもよい。
例えば、前記第一および第二の音声信号は、異なる音程を持つ二つ以上の音を連続的に繋ぐスイープ音であってもよく、好ましくは、指数チャープ信号であってもよい。音程を指数関数的に変化させることで、上下方向をよりわかりやすく通知することができる。【００１５】
また、前記オーディオ信号の周波数が前記基準周波数と略同じである場合に、前記生成手段は、前記第一および第二の音声信号とは異なる第三の音声信号を生成することを特徴としてもよい。
かかる構成によると、音程が理想状態になったことを音声によって操作者に通知することができる。【００１６】
また、前記オーディオ信号に対して所定の効果を付与する効果付与手段をさらに有し、前記生成手段は、効果付与後のオーディオ信号と、前記第一または第二の音声信号を混合することを特徴としてもよい。
チューニング状態を通知する音声信号と、所定の効果が付与されたオーディオ信号を混合することで、操作者は、チューニング対象である音を把握することができる。【００１７】
また、本発明の別形態に係るチューニング装置は、
オーディオ信号を取得する信号取得手段と、前記オーディオ信号の周波数と、前記オーディオ信号に対応する基準周波数とを比較する比較手段と、前記オーディオ信号の周波数と前記基準周波数が略一致していない場合に、第一の周期ごとに音声信号を生成する生成手段と、を有し、前記第一の周期は、前記オーディオ信号の周波数と前記基準周波数との差に相関した値であることを特徴とする。【００１８】
このように、本発明は、周波数のずれ幅の大小を音声によって通知する装置として特定することもできる。【００１９】
また、前記信号取得手段は、調律操作量に応じて連続的に音程を調整可能な楽器から前記オーディオ信号を取得することを特徴としてもよい。【００２０】
なお、本発明は、上記手段の少なくとも一部を含むチューニング装置として特定することができる。また、前記チューニング装置が行う方法として特定することもできる。また、前記方法を実行させるためのプログラムとして特定することもできる。上記処理や手段は、技術的な矛盾が生じない限りにおいて、自由に組み合わせて実施することができる。
【図面の簡単な説明】
【００２１】
【図１】実施形態に係る電子楽器システムの構成図である。
【図２】トランスミッタの外観図である。
【図３】トランスミッタのハードウェア構成図である。
【図４】音声出力装置のハードウェア構成図である。
【図５】第一の実施形態に係る音声出力装置が有するＤＳＰの機能構成図である。
【図６】判定音生成部の機能構成図である。
【図７】音声出力装置が行う処理のフローチャートである。
【図８】周波数から音程を特定するためのテーブルの例である。
【図９】ずれ幅と発音間隔との関係を説明する図である。
【図１０】ずれ幅と発音間隔との関係を説明する図である。
【図１１】第三の実施形態に係る音声出力装置が有するＤＳＰの機能構成図である。
【発明を実施するための形態】
【００２２】
本実施形態に係る電子楽器システムは、電子楽器が出力した音声信号を無線によって送信するトランスミッタ１０と、無線送信された音声信号を受信し、増幅して出力する音声出力装置２０と、を含んで構成される。
【００２３】
図１に、本実施形態に係る電子楽器システムの全体構成図を示す。
トランスミッタ１０は、演奏操作器を有する携帯型の電子楽器（本実施形態では電子ギター３０）と接続され、当該電子楽器が出力した音声信号を無線によって送信する携帯型の装置である。図２は、トランスミッタ１０の外観を示した図である。図示したように、トランスミッタ１０は、３極の接続端子を有するフォーンプラグによって電子楽器と接続することができる。トランスミッタ１０は、電子楽器が有する音声出力端子（フォーンジャック）に挿入されると、物理スイッチ（電源スイッチ）がＯＮになり、当該電子楽器から音声信号を取得し、無線によって送信する。
【００２４】
電子ギター３０は、複数の弦と、弦の振動を検出するピックアップを有しており、弦の振動をピックアップによって検出し、電気信号（音声信号）に変換して出力する。電子ギター３０は、フォーンジャックを介して音声信号をトランスミッタ１０に出力する。出力された音声信号は、トランスミッタ１０によって変調および無線送信され、ヘッドホン装置である音声出力装置２０によって受信および復調され、出力される。
【００２５】
図３を参照して、トランスミッタ１０のハードウェア構成について説明する。
トランスミッタ１０は、ＣＰＵ（中央処理装置）１０１、ＲＯＭ１０２、ＲＡＭ１０３、接続部１０４、無線送信部１０５を有して構成される。これらの手段は、充電式のバッテリ（不図示）から供給される電力によって駆動される。
【００２６】
ＣＰＵ１０１は、トランスミッタ１０が行う制御を司る演算装置である。
ＲＯＭ１０２は、書き換え可能な不揮発性メモリである。ＲＯＭ１０２には、ＣＰＵ１０１において実行される制御プログラムや、当該制御プログラムが利用するデータ（例えば、楽音信号の送信に用いる周波数等）が記憶される。
ＲＡＭ１０３は、ＣＰＵ１０１によって実行される制御プログラムや、当該制御プログラムが利用するデータが展開されるメモリである。ＲＯＭ１０２に記憶されたプログラムがＲＡＭ１０３にロードされ、ＣＰＵ１０１によって実行されることで、以降に説明する処理が行われる。
なお、図３に示した構成は一例であり、図示した機能の全部または一部は、専用に設計された回路を用いて実行されてもよい。また、図示した以外の、主記憶装置および補助記憶装置の組み合わせによってプログラムの記憶ないし実行を行ってもよい。
【００２７】
接続部１０４は、トランスミッタ１０と電子ギター３０を物理的に接続するためのインタフェース（例えば、２極または３極のフォーンプラグ）である。接続部１０４は、図２に示した接続端子を有しており、電子ギター３０と接続された場合において、電子ギター３０から音声信号を取得可能に構成される。
なお、接続部１０４が有する接続端子の近傍には電源スイッチが配置されており、プラグを挿入することで当該電源スイッチが押下される。
【００２８】
無線送信部１０５は、信号を無線によって送信する無線通信インタフェースである。本実施形態では、無線送信部１０５は、音声出力装置２０に対して、電子ギター３０が出力した音声信号を送信する。
上述した各手段は、バスによって通信可能に接続される。
【００２９】
次に、図４を参照して、音声出力装置２０のハードウェア構成について説明する。
音声出力装置２０は、トランスミッタ１０から無線によって送信された音声信号を増幅して出力する、ヘッドホン型の装置である。音声出力装置２０は、（１）受信した音声信号に対して所定の処理（音響効果の付与など）を施し、増幅して出力する機能と、（２）受信した音声信号に基づいて電子楽器の調律（チューニング）を行う機能を有する。
二つの機能は、操作者が行った操作によって切り替えることができる。
【００３０】
音声出力装置２０は、無線受信部２０１、ＤＳＰ２０２、ＲＯＭ２０３、ＲＡＭ２０４、増幅器２０５、スピーカ２０６を有して構成される。これらの手段は、充電式のバッテリーから供給される電力によって駆動される。
【００３１】
無線受信部２０１は、トランスミッタ１０から送信された信号を受信する無線通信インタフェースである。本実施形態では、無線受信部２０１は、トランスミッタ１０が有する無線送信部１０５と無線接続され、電子ギター３０が出力した音声信号を受信する。
【００３２】
ＤＳＰ２０２は、デジタル信号処理に特化したマイクロプロセッサである。本実施形態では、ＤＳＰ２０２は、音声信号の処理に特化した処理を行う。具体的には、無線受信部２０１を介して取得した信号をデコードして音声信号を取得し、必要に応じて効果の付与などを行う。ＤＳＰ２０２から出力された音声信号はアナログ信号に変換され、増幅器２０５によって増幅された後、スピーカ２０６から出力される。
さらに、ＤＳＰ２０２は、本明細書に記載するチューニング処理を実行可能に構成される。具体的な処理については後述する。
【００３３】
ＲＯＭ２０３は、書き換え可能な不揮発性メモリである。ＲＯＭ２０３には、ＤＳＰ２０２において実行される制御プログラムや、当該制御プログラムが利用するデータが記憶される。ＲＯＭ２０３に記憶されるデータとして、例えば、音声出力装置２０とトランスミッタ１０が無線通信を行う際の周波数やチャネルリストなどが挙げられる。また、チューニングに必要な情報（例えば、基準となる周波数に関する情報（図７を参照して後述））などが挙げられる。
【００３４】
ＲＡＭ２０４は、ＤＳＰ２０２によって実行される制御プログラムや、当該制御プログラムが利用するデータが展開されるメモリである。ＲＯＭ２０３に記憶されたプログラムがＲＡＭ２０４にロードされ、ＤＳＰ２０２によって実行されることで、以降に説明する処理が行われる。
なお、図４に示した構成は一例であり、図示した機能の全部または一部は、専用に設計された回路を用いて実行されてもよい。また、図示した以外の、主記憶装置および補助記憶装置の組み合わせによってプログラムの記憶ないし実行を行ってもよい。
【００３５】
次に、図５を参照しながら、ＤＳＰ２０２が有する機能ブロックについて説明する。
ＤＳＰ２０２は、楽音信号入力部２０２１、エフェクター２０２２、判定音生成部２０２３、機能選択部２０２４、音量設定部２０２５、放音部２０２６の各機能ブロックを有して構成される。これらの機能ブロックは、対応するプログラムモジュールがＤＳＰ２０２において実行されることで実現されてもよい。
【００３６】
楽音信号入力部２０２１は、無線受信部２０１を介して受信された楽音信号を取得し、デコードする。デコードされた信号は、エフェクター２０２２および判定音生成部２０２３へ入力される。なお、以下の説明において、楽音信号とは、アナログ信号とデジタル信号の双方を指す語として用いる。
【００３７】
エフェクター２０２２は、入力された楽音信号に対して効果を付与する。エフェクター２０２２は、複数のエフェクトユニットを内蔵しており、楽音信号に対して、コーラス（Chorus）、フェイザー（Phaser）、トレモロ（Tremolo）、ビブラート（Vibrato）といった所定の効果を付与することができる。
【００３８】
判定音生成部２０２３は、入力された楽音信号に基づいて調律（チューニング）を行う。具体的には、入力された楽音信号に基づいて、比較を行うための周波数（以下、基準周波数）を決定し、楽音信号の周波数と基準周波数とを比較する。例えば、入力された楽音信号が、Ａ４の音階に対応するものであると認められる場合、４４０Ｈｚの周波数によって比較を行う旨を決定し、双方の比較を行う。そして、比較の結果に基づいて、当該比較の結果を表す信号音（以下、判定音）を生成する。本実施形態では、判定音は、以下の三種類である。
（１）楽音信号の周波数が基準周波数より低い旨を表す判定音（第一判定音）
（２）楽音信号の周波数が基準周波数より高い旨を表す判定音（第二判定音）
（３）楽音信号の周波数が基準周波数と略同じである旨を表す判定音（第三判定音）
【００３９】
機能選択部２０２４は、判定音生成部２０２３の活性／非活性状態を切り替える。機能選択部２０２４は、不図示のスイッチを介して操作者が行った操作に基づいて、判定音生成部２０２３の活性／非活性状態を切り替える。
ここで、判定音生成部２０２３を活性状態にした場合、すなわち、チューニング機能を有効にする旨の選択を行った場合、前述したように、判定音生成部２０２３によって、判定音（第一〜第三判定音のいずれか）が生成される。生成された判定音は、エフェクター２０２２を経由した音声信号（以下、原音）とミックスされ、出力される。
一方、判定音生成部２０２３を非活性状態にした場合、すなわち、チューニング機能を無効にする旨の選択を行った場合、判定音生成部２０２３による処理は行われない。この場合、エフェクター２０２２を経由した音声信号（原音）のみが出力される。
【００４０】
音量設定部２０２５は、ユーザの操作に基づいて、判定音生成部２０２３およびエフェクター２０２２が出力する音声信号を減衰させる。
放音部２０２６は、エフェクター２０２２が出力した音声信号と、判定音生成部２０２３が出力した音声信号を出力する。出力された音声信号は、増幅器２０５およびスピーカ２０６を介して放音される。
【００４１】
次に、判定音生成部２０２３が行う処理について、図６および図７を参照して説明する。
図６は、判定音生成部２０２３が有する機能ブロックを説明する図である。また、図７は、活性状態にある判定音生成部２０２３が行う処理のフローチャートである。
【００４２】
まず、ステップＳ１１で、楽音信号を検出したか否かを判定する。ここで否定判定であった場合（例えば、信号レベルが所定値以下であった場合など）、楽音信号が検出されるまで待機する。ステップＳ１１で肯定判定であった場合、ステップＳ１２へ遷移し、楽音信号に対応する周波数ｆ１と、比較を行うための基準周波数ｆｂを決定する。
【００４３】
ステップＳ１２では、基準周波数決定部３２が、まず、楽音信号の本来の音階を推定する。例えば、楽音信号をフーリエ変換することで周波数成分を抽出し、抽出した周波数成分に基づいて、楽音信号に対応する周波数ｆ１を特定する。周波数成分のピークが複数ある場合、所定の方法によって主となる周波数を特定すればよい。
【００４４】
次に、特定した周波数から、音程を推定する。図８は、楽音信号に対応する周波数から、基準周波数を決定するためのデータ（以下、周波数データ）の例である。例示したような周波数データを参照することで、楽音信号に最も近い音程を推定することができる。
そして、推定した音階に対応する基準周波数ｆｂを決定する。例えば、推定した音程がＡ４である場合、基準周波数として４４０Ｈｚを選択する。
図８に示した周波数データは、ＲＯＭ２０３に予め記憶されていてもよい。
【００４５】
なお、図８の例では、音階を１オクターブ分としたが、周波数データはこれに限られない。例えば、チューニング対象がピアノである場合、８８弦分の音程と周波数がそれぞれ関連付いた周波数データを利用するようにしてもよい。また、チューニング対象がベースである場合、４弦分の音程と周波数がそれぞれ関連付いた周波数データを利用するようにしてもよい。また、チューニング対象がギターである場合、６弦分の音程と周波数がそれぞれ関連付いた周波数データを利用するようにしてもよい。
なお、周波数データは、複数個記憶されていてもよい。複数の周波数データを利用する場合、基準周波数決定部３２が、操作者の指示に基づいて使用する周波数データを選択してもよい。また、接続された楽器を自動的に判定し、使用する周波数データを選択するようにしてもよい。
【００４６】
次に、比較部３１が、楽音信号の周波数と、基準周波数を比較し、「低い」「略同一」「高い」の３パターンに分類する（ステップＳ１３）。略同一の範囲は設計値とすることができるが、音楽的に調律が成立しているとみなされる範囲に設定することが好ましい。
楽音信号の周波数が、基準周波数（または、基準周波数に基づいて設定された所定の範囲）よりも低い場合、処理はステップＳ１４Ａに遷移し、第一判定音を生成し、出力する。ステップＳ１４Ａでは、選択部３３が、第一判定音生成部３４を選択し、第一判定音生成部３４が、第一判定音を生成する。
また、楽音信号の周波数が、基準周波数（または、基準周波数に基づいて設定された所定の範囲）よりも高い場合、処理はステップＳ１４Ｃに遷移し、第二判定音を生成し、出力する。ステップＳ１４Ｃでは、選択部３３が、第二判定音生成部３５を選択し、第二判定音生成部３５が、第二判定音を生成する。
楽音信号の周波数が、基準周波数と略同一である（または、基準周波数に基づいて設定された所定の範囲内にある）場合、処理はステップＳ１４Ｂに遷移し、第三判定音を生成し、出力する。ステップＳ１４Ｂでは、選択部３３が、第三判定音生成部３６を選択し、第三判定音生成部３６が、第三判定音を生成する。
【００４７】
ステップＳ１５では、所定の時間待機したのち、処理をステップＳ１１に遷移させる。これにより、判定音を断続的に出力させることができる。
【００４８】
ここで、判定音について説明する。
第一判定音は、現在発音している音の周波数が、基準周波数よりも低いことが直感的に理解できる音であることが好ましい。例えば、音程（ピッチ）の異なる二種類のビープ音を、低→高の順番で出力することで、音程を上げるべきである旨を操作者に伝達することができる。
【００４９】
第二判定音は、現在発音している音の周波数が、基準周波数よりも高いことが直感的に理解できる音であることが好ましい。例えば、音程（ピッチ）の異なる二種類のビープ音を、高→低の順番で出力することで、音程を下げるべきである旨を操作者に伝達することができる。
（第一判定音の例）ポピ…ポピ…ポピ…（ポは低音、ピは高音を表す）
（第二判定音の例）ピポ…ピポ…ピポ…（同）
なお、判定音の音程の組み合わせは、例示したものに限られない。
【００５０】
さらに、判定音は、独立したビープ音の組み合わせでなくてもよい。例えば、音程が連続的に変化する音（スイープ音）を出力することで、調整すべき方向（音程を上げる方向に調整すべきか、下げる方向に調整すべきか）を伝達することができる。なお、スイープ音は、時間に比例して音程が変化するものであるが、その変化率は一次関数に限られない。例えば、指数チャープといったように、音程が時間に対して指数関数的に変化するものであってもよい。かかる構成によると、操作者に対して、音程がリニアに上下する印象を与えることができる。
【００５１】
第三判定音は、現在発音している音の周波数が、基準周波数と略一致したことが直感的に理解できる音であることが好ましい。例えば、音程が変化しないビープ音を出力することで、チューニングが完了した旨を伝達することができる。
（第三判定音の例）ピピ…ピピ…ピピ…
【００５２】
なお、上述した例における、判定音の発音間隔（第一の周期）は、ステップＳ１５における所定の時間によって変化する。
【００５３】
以上説明したように、本実施形態に係るチューニング装置では、楽器から取得した楽音信号の周波数と、基準周波数を比較した結果に基づいて、それぞれ異なる判定音を出力する。かかる形態によると、調整すべき方向（音程を上げる方向に調整すべきか、下げる方向に調整すべきか）を直感的に理解することができる。
さらに、エフェクターを通過した楽音信号と、判定音がミックスされて出力されるため、実際に得られる演奏音を聴取しながらチューニングを行うことが可能になる。
【００５４】
本実施形態に係るチューニング装置は、特に、操作量に応じて連続的に音程を調整可能な楽器のチューニングに対して好適に適用することができる。例えば、ギター、ベース、ピアノなどの弦楽器、特に、弦の張力を調整するためのペグを有する楽器を調律する場合、作業中においてペグや弦の状態を逐一観察することが好ましいが、従来技術のように視覚によって情報を与えた場合、操作者の意識を楽器の状態に集中させることができない。これに対し、本実施形態に係るチューニング装置では、音声のみによって状態を通知することができるため、操作者を作業に集中させることが可能になる。
【００５５】
（第二の実施形態）
第二の実施形態では、ステップＳ１５における所定の時間を可変とした実施形態である。第二の実施形態に係る音声出力装置２０のハードウェア構成は第一の実施形態と同様であり、判定音生成部２０２３が実行する処理のみが異なる。
【００５６】
第二の実施形態では、判定音生成部２０２３が、ステップＳ１５における所定の時間、すなわち、判定音の発音間隔を、「楽音信号の周波数と基準周波数とのずれ幅」に基づいて決定する。
図９は、判定音の発音間隔を説明する図である。本実施形態では、楽音信号の周波数と基準周波数との差（ずれ幅）が大きい場合に、発音間隔がより長くなるように制御を行う。ずれ幅と発音間隔との関係は、例えば、図１０のように定義することができる。このようなデータは、ＲＯＭ２０３に予め記憶されていてもよい。
【００５７】
第二の実施形態によると、操作者に対して、楽音信号の周波数と基準周波数との差の大小を音声によって通知することができる。これにより操作者は、調整を行うべき幅を容易に把握できるようになる。
なお、本実施形態では、ずれ幅が大きいほど発音間隔が長くなるように制御を行ったが、ずれ幅が大きいほど発音間隔が短くなるように制御を行ってもよい。すなわち、発音間隔が、楽音信号の周波数と基準周波数との差に相関していればよい。
【００５８】
（第三の実施形態）
第三の実施形態は、判定音に加え、基準周波数を表す音声信号をさらに出力する実施形態である。図１１は、第三の実施形態に係る音声出力装置２０（ＤＳＰ２０２）の機能ブロック図である。
【００５９】
第三の実施形態では、ＤＳＰ２０２が、基準音生成部２０２７をさらに有して構成される。基準音生成部２０２７は、判定音生成部２０２３が決定した基準周波数に対応する音声信号（以下、基準音。例えばサイン波）を生成する。基準音は、判定音および原音とミックスされ、放音部２０２６を介して出力される。
【００６０】
なお、第三の実施形態では、機能選択部２０２４が、判定音生成部２０２３の活性状態と、基準音生成部２０２７の活性状態を同時に、または個別に切り替え可能に構成される。例えば、「判定音生成部２０２３のみを活性状態とする」「判定音生成部２０２３および基準音生成部２０２７を活性状態とする」といった選択を行うことができる。
【００６１】
第三の実施形態によると、操作者が、原音と基準音を同時に聴取することができるため、調整を行うべき方向をより容易に把握できるようになる。
【００６２】
（変形例）
上記の実施形態はあくまでも一例であって、本発明はその要旨を逸脱しない範囲内で適宜変更して実施しうる。例えば、各実施形態を組み合わせて実施してもよい。
また、実施形態の説明では、無線接続された音声出力装置２０を例示したが、本発明に係るチューニング装置は有線接続されたものであってもよい。
また、チューニングの対象は、必ずしも電子楽器でなくてもよく、オーディオ信号を出力するものであれば、どのようなものであってもよい。
【００６３】
また、実施形態の説明では、ステップＳ１５において所定の時間だけ待機したが、待機中に楽音信号の立ち上がり（アタック）を新たに検出した場合、待機を中断し、直ちにステップＳ１３の判定を開始するようにしてもよい。楽音信号の立ち上がりタイミングは、例えば、楽音信号のレベルが所定値を上回ったタイミングとしてもよい。
かかる構成によると、操作者が打鍵やピッキングを行った場合に、直ちに判定音が出力されるため、より迅速かつ直感的にずれ幅を通知することができる。
【符号の説明】
【００６４】
１０：トランスミッタ
２０：音声出力装置
３０：電子ギター
１０１：ＣＰＵ
１０２，２０３：ＲＯＭ
１０３，２０４：ＲＡＭ
１０４：接続部
１０５：無線送信部
２０１：無線受信部
２０２：ＤＳＰ
２０５：増幅器
２０６：スピーカ
【図１】
2020217489.tif 000003
【図２】
2020217489.tif 000004
【図３】
2020217489.tif 000005
【図４】
2020217489.tif 000006
【図５】
2020217489.tif 000007
【図６】
2020217489.tif 000008
【図７】
2020217489.tif 000009
【図８】
2020217489.tif 000010
【図９】
2020217489.tif 000011
【図１０】
2020217489.tif 000012
【図１１】
2020217489.tif 000013
【国際調査報告】
2020217489.tif 000014
2020217489.tif 000015
2020217489.tif 000016
2020217489.tif 000017
2020217489.tif 000018
2020217489.tif 000019